【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
文字列領域および画像領域がレイアウトされたページを表示器に表示する第１の表示手段と、
前記ページのうち拡大表示の対象となる範囲を前記文字列領域の位置に基づき、自動的に決定する決定手段と、
所定のユーザ操作に応答して、前記ページのうち前記決定された範囲を前記表示器に拡大表示する第２の表示手段とを備え、
前記決定された範囲は前記文字列領域の近傍の画像領域の一部および前記文字列領域を含むことを特徴とする情報処理装置。
【請求項２】
前記ページは複数の文字列領域を含み、
前記決定手段は前記文字列領域毎に前記範囲を決定し、
前記第２の表示手段は複数の前記決定された範囲を順に前記表示器に拡大表示することを特徴とする請求項１に記載の情報処理装置。
【請求項３】
前記第２の表示手段は、前記所定のユーザ操作に応答して、前記文字列領域を切り替えて前記文字列領域に対応する範囲の前記拡大表示を行うことを特徴とする請求項１または２に記載の情報処理装置。
【請求項４】
前記文字列領域に文字列が入力されているか否か判定する判定手段をさらに備え、
前記第２の表示手段は、前記文字列が入力されていると判定された前記文字列領域に対応する範囲を拡大表示することを特徴とする請求項１乃至３のいずれか１項に記載の情報処理装置。
【請求項５】
前記第２の表示手段により拡大表示されたか否かを示すフラグを前記文字列領域に関連付けて記憶する記憶手段と、
前記フラグに基づき、前記第２の表示手段により拡大表示されていないことを示す前記文字列領域が存在するとき、その旨を通知する通知手段とをさらに備えたことを特徴とする請求項１乃至４のいずれか１項に記載の情報処理装置。
【請求項６】
前記ページ上の文字列領域および画像領域のデータにしたがって印刷用データを作成する作成手段と、
前記作成手段により前記印刷用データを作成するとき、前記フラグに基づいて前記第２の表示手段により拡大表示されていないことを示す前記文字列領域が存在するか否か判別する判別手段をさらに備えたことを特徴とする請求項５に記載の情報処理装置。
【請求項７】
前記第２の表示手段により拡大表示されたか否かを示すフラグを前記文字列領域に関連付けて記憶する記憶手段をさらに備え、
前記第２の表示手段は、前記フラグに基づいて前記第２の表示手段により拡大表示されていないことを示す前記文字列領域を識別可能に表示することを特徴とする請求項１乃至６のいずれか１項に記載の情報処理装置。
【請求項８】
前記所定のユーザ操作は前記表示器に表示されるボタンの選択操作であり、
前記第２の表示手段により拡大表示される文字列領域の位置にしたがって前記ボタンのラベルを設定する設定手段をさらに備えたことを特徴とする請求項１乃至７のいずれか１項に記載の情報処理装置。
【請求項９】
文字列領域および画像領域がレイアウトされたページを表示器に表示するステップと、
前記ページのうち拡大表示の対象となる範囲を前記文字列領域の位置に基づき、自動的に決定するステップと、
所定のユーザ操作に応答して、前記ページのうち前記決定された範囲を前記表示器に拡大表示するステップとを備え、
前記決定された範囲は前記文字列領域の近傍の画像領域の一部および前記文字列領域を含むことを特徴とする情報処理装置の制御方法。
【請求項１０】
コンピュータに、
文字列領域および画像領域がレイアウトされたページを表示器に表示する第１の表示ステップと、
前記ページのうち拡大表示の対象となる範囲を前記文字列領域の位置に基づき、自動的に決定する決定ステップと、
所定のユーザ操作に応答して、前記ページのうち前記決定された範囲を前記表示器に拡大表示する第２の表示ステップとを実行させ、
前記決定された範囲は前記文字列領域の近傍の画像領域の一部および前記文字列領域を含むことを特徴とするプログラム。
【請求項１１】
前記ページは複数の文字列領域を含み、
前記決定ステップでは前記文字列領域毎に前記範囲を決定し、
前記第２の表示ステップでは複数の前記決定された範囲を順に前記表示器に拡大表示することを特徴とする請求項１０に記載のプログラム。
【請求項１２】
前記第２の表示ステップでは前記所定のユーザ操作に応答して、前記文字列領域を切り替えて前記文字列領域に対応する範囲の前記拡大表示を行うことを特徴とする請求項１０または１１に記載のプログラム。
【請求項１３】
前記文字列領域に文字列が入力されているか否か判定する判定ステップをさらに備え、
前記第２の表示ステップでは、前記文字列が入力されていると判定された前記文字列領域に対応する範囲を拡大表示することを特徴とする請求項１０乃至１２のいずれか１項に記載のプログラム。
【請求項１４】
前記第２の表示ステップにおいて拡大表示されたか否かを示すフラグを前記文字列領域に関連付けて記憶する記憶ステップと、
前記フラグに基づき、前記第２の表示ステップにおいて拡大表示されていないことを示す前記文字列領域が存在するとき、その旨を通知する通知ステップとをさらに備えたことを特徴とする請求項１０乃至１３のいずれか１項に記載のプログラム。
【請求項１５】
前記ページ上の文字列領域および画像領域のデータにしたがって印刷用データを作成する作成ステップと、
前記作成ステップにおいて前記印刷用データを作成するとき、前記フラグに基づいて前記第２の表示手段により拡大表示されていないことを示す前記文字列領域が存在するか否か判別する判別ステップをさらに備えたことを特徴とする請求項１４に記載のプログラム。
【請求項１６】
前記第２の表示ステップにおいて拡大表示されたか否かを示すフラグを前記文字列領域に関連付けて記憶する記憶ステップをさらに備え、
前記第２の表示ステップでは、前記フラグに基づいて前記第２の表示ステップにおいて拡大表示されていないことを示す前記文字列領域を識別可能に表示することを特徴とする請求項１０乃至１５のいずれか１項に記載のプログラム。
【請求項１７】
前記所定のユーザ操作は前記表示器に表示されるボタンの選択操作であり、
前記第２の表示ステップにおいて拡大表示される文字列領域の位置にしたがって前記ボタンのラベルを設定する設定ステップをさらに備えたことを特徴とする請求項１０乃至１６のいずれか１項に記載のプログラム。
【手続補正２】
【補正対象書類名】明細書
【補正対象項目名】発明の名称
【補正方法】変更
【補正の内容】
【発明の名称】情報処理装置およびその制御方法およびプログラム
【手続補正３】
【補正対象書類名】明細書
【補正対象項目名】０００１
【補正方法】変更
【補正の内容】
【０００１】
本発明は、画像や文字列をレイアウトしたページを表示するための情報処理装置およびその制御方法およびプログラムに関する。
【手続補正４】
【補正対象書類名】明細書
【補正対象項目名】０００５
【補正方法】変更
【補正の内容】
【０００５】
本願に係る発明の１つは、情報処理装置であって、文字列領域および画像領域がレイアウトされたページを表示器に表示する第１の表示手段と、前記ページのうち拡大表示の対象となる範囲を前記文字列領域の位置に基づき、自動的に決定する決定手段と、所定のユーザ操作に応答して、前記ページのうち前記決定された範囲を前記表示器に拡大表示する第２の表示手段とを備え、前記決定された範囲は前記文字列領域の近傍の画像領域の一部および前記文字列領域を含むことを特徴とする。
【手続補正５】
【補正対象書類名】明細書
【補正対象項目名】０００６
【補正方法】変更
【補正の内容】
【０００６】
本発明によれば、画像や文字列を混在してページにレイアウトする際に、ユーザは文字列の入力内容を見易くなるだけでなく、その周辺の画像を手がかりとしてページ上での文字列の位置を特定し易くなるので、文字列を確認する作業のユーザビリティが向上する。